(57)【要約】  １組の発光装置において、各発光装置はそれぞれの容器に取り付けられ、かつ、ライト、関連回路、および容器への取り付けが可能な表面を有する筐体を備え、第１の装置（１２）は送信回路（２２）および送信回路を作動させてそれぞれの送信信号を生成するための傾斜スイッチ（２０）を備え、第２の装置（１４）の各々は、送信信号を受信しこの装置のライト（３６）を点灯することができる受信回路（３２）を備える。第１の装置（１２）のライト（２６）も、送信信号の生成と同時に点灯するように構成され、この装置はオンオフ押圧スイッチ（２８）を更に備える。これらの装置は、送信部（６０）を含む照明システム（５０）の一部であることがあり、この送信部（６０）も信号を生成してライト（３６）を点灯させる。送信部（６０）によって送信された信号は、第１の装置（１２）によって送信された信号とは別々に符号化され、異なる照明効果を生じさせる。更なるシステム（８０）は、照射されるボトル載置領域（９４）を組み込んだボトル支持部（９０）を含む。
2018506834.tif 000002
【特許請求の範囲】
【請求項１】
１組の発光装置（１２、１４）であって、各発光装置は対応する容器に取り付け可能で、かつ、ライト（２６、３６）、関連回路、および前記容器への取り付けが可能な表面を有する筐体を備え、前記１組の装置のうちの少なくとも１つの第１の発光装置（１２）は、送信回路（２２）および前記送信回路を作動させてそれぞれの送信信号を生成するためのユーザ作動スイッチ（２０、２８）を備え、前記１組の装置のうちの少なくとも１つの第２の発光装置（１４）は前記送信信号を受信することができる受信回路（３２）および前記送信信号に応答して前記第２の装置の前記ライト（３６）を点灯するための手段を備える、１組の発光装置。
【請求項２】
各発光装置（１２、１４）は、液体不浸透性の材料でできたパッドを含み、前記発光装置の電気素子は前記パッドの主表面の中央領域に取り付けられ、前記中央領域は前記主表面の接着領域によって囲まれ、それによって、前記パッドは容器に液密に接着されて前記容器の中身を照射することができる、請求項１に記載の１組の発光装置。
【請求項３】
各発光装置（１２、１４）は、前記発光装置の電気素子が取り付けられるパッドを含み、前記パッドは液体不浸透性材料のパッドであり、前記電気素子は前記パッドの主表面の中央領域に取り付けられる剛直な回路基板に設けられ、前記中央領域は前記主表面の接着領域によって囲まれ、それによって、前記パッドは前記容器に液密に接着されて前記容器の中身を照射することができ、前記パッドは可撓性を有し、ひび割れたり又はしわになることなく、前記剛直な回路基板の縁で折り畳むことができる材料組成を有する、請求項１に記載の１組の発光装置。
【請求項４】
前記パッドは０．１５〜０．４０ｍｍの範囲の厚さ、及び／又は３０〜７０ｍｍの最大寸法を有する、請求項２又は３に記載の１組の発光装置。
【請求項５】
前記スイッチ（２０）は動作感知スイッチである、請求項１〜４のいずれか一項に記載の１組の発光装置。
【請求項６】
各第１の装置はオンオフ押圧スイッチ（２８）を更に備える、請求項５に記載の１組の発光装置。
【請求項７】
前記スイッチ（２８）はオンオフ押圧スイッチである、請求項１〜４のいずれか一項に記載の１組の発光装置。
【請求項８】
単一の第１の装置（１２）及び複数の第２の装置（１４）を含む、請求項１〜７のいずれか一項に記載の１組の発光装置。
【請求項９】
少なくとも２つの第１の装置（１２）を含み、このうちの一方は第１の符号を有する信号を送信し、他方は第２の符号を有する信号を送信し、前記第２の装置（１４）は２つの群で構成され、これらの群のうちの一方の群の装置は前記第１の符号を有する信号に応答し、これらの群のうちの他方の群の装置は前記第２の符号を有する信号に応答する、請求項１〜７のいずれか一項に記載の１組の発光装置。
【請求項１０】
前記第２の装置（１４）は、前記異なる符号化信号に応答して異なる照明効果を生成する、請求項９に記載の１組の発光装置。
【請求項１１】
前記少なくとも１つの第１の装置（１２）は、前記送信信号の生成と同時に前記第１の装置の前記ライト（２６）を点灯するための手段を含む、請求項１〜１０のいずれか一項に記載の１組の発光装置。
【請求項１２】
前記少なくとも１つの第２の装置は少なくともそれ自体のライト（３６）を作動させるためのそれ自体のスイッチ（３０）を備える、請求項１〜１１のいずれか一項に記載の１組の発光装置。
【請求項１３】
請求項１〜１２のいずれか一項に記載の１組の発光装置（１２、１４）と、前記第２の装置（１４）又は各第２の装置（１４）の前記ライトを点灯するために信号を生成させるための少なくとも１つのスイッチ（１１４、１２４、１３４、１４４）を有するデスクトップ型又は可搬型の送信部（６０）と、を備える照明システム。
【請求項１４】
１組の発光装置（１２、１４）を第１及び第２の容器に取り付けることを含む、容器を照射する方法であって、各装置は、ライト（２６、３６）、関連回路、および前記容器に取り付けることが可能な表面を有する筐体を備え、前記１組の発光装置のうちの少なくとも第１の発光装置（１２）は、送信回路および前記送信回路を作動させてそれぞれの送信信号を生成するための手段を備え、前記１組の発光装置のうちの少なくとも第２の発光装置（１４）は、前記送信信号を受信することができる受信回路および前記送信信号に応答して前記第２の装置の前記ライト（３６）を点灯するための手段を備え、
前記第１の装置のスイッチ（２０、２８）を使用して前記送信回路を作動させ、前記第２の装置の前記ライトを点灯させることを含む、方法。
【請求項１５】
前記容器は飲料容器であり、少なくとも前記第２の装置（１４）の照射は、前記第２の装置が取り付けられる前記容器の中身を照射するように構成される、請求項１４に記載の方法。
【発明の詳細な説明】
【技術分野】
【０００１】
本発明は、照明システムに関し、特に、無線方式で動作する１組の発光装置を含む照明システムに関する。
【背景技術】
【０００２】
好ましい実施形態では、照明システムは、容器の中身、特に透明な飲料容器の中身を照らすのに適切な照明器具を含む。この種の装置は、国際公開第２００４／１１０８９２号パンフレット、国際公開第２０１１／００７１１３号パンフレット、国際公開第２０１１／０７０３３６号パンフレット、国際公開第２０１１／０７０３３７号パンフレット、及び国際公開第２０１１／０７０３３８号パンフレットに開示されている。
【０００３】
我々の先の国際特許出願、国際公開第２０１２／１６０３９０号パンフレットで、動作感知式照明装置に無線周波数送信機を組み込むことを開示しているが、受信機は、棚に固定的に配置されるように構成された比較的大きなタイル部材に組み込まれている。
【０００４】
英国特許第２５１５８４５Ａ号明細書は、表示装置の形態のピクセルユニットのアレイについて開示している。これらの装置は受信機及び送信機を含んでいるが、それらが交換する情報は、位置情報のみ又は他の場所から発信される情報、特に中央制御部からの情報のみである。個々の装置は、表示情報の送信を発動させるための手段を含んではいない。
【０００５】
英国特許第２４４０７８４Ａ号明細書は、娯楽の場における聴衆のための一連の蛍光スティックアレイを開示しており、各蛍光スティックは送受信機を組み込んでいる。この送受信機は、中央制御部からコマンド信号を受信し、互いに通信することができる。
【０００６】
米国特許第２０１４／００７１６８１Ａ１号明細書では、マスター装置のライト及びスレーブ装置のライトにより、共通の点滅パターンが生成される。スレーブ装置は、信号を再送信するように作用することもある。
【０００７】
米国特許第２００７／０２７２８７９号明細書は、飲料用グラスを開示しており、各飲料用グラスは、光源と、送受信機と、光源の照明を制御するようにプログラム可能な装置とを組み込んでいる。グラスが支給される前はトレーによって、使用中はビーコンを介して、この装置をプログラムすることができる。
【発明の概要】
【０００８】
本発明の態様は、１つ以上の表示効果をもたらすことができる照明システムを提供することを目的とする。
【０００９】
本発明の態様は、１つの照明装置に関連付けられた事象、例えば、容器から飲料を注ぐ又は飲むなどの事象が、他の容器に取り付けられた他の照明装置に効果を発生させることができる照明システムを提供することを目的とする。
【００１０】
本発明の第１の態様によれば、１組の発光装置が提供され、各発光装置は対応する容器に取り付けられ、かつ、ライト、関連回路、および容器への取り付けが可能な表面を有する筐体を備え、この１組のうちの少なくとも１つの第１の発光装置は、送信回路および送信回路を作動させてそれぞれの送信信号を生成するためのユーザ作動スイッチを備え、この１組のうちの少なくとも１つの第２の発光装置は、送信信号を受信することができる受信回路および送信信号に応答して前記の第２の装置のライトを点灯するための手段を備える。
【００１１】
この装置の利点は、いかなる方法でも容器を改修する必要なく、従来の容器に取り付けられることである。容器は、飲料用の容器、特にグラスやボトルなどの透明容器であり、ライトが、それぞれの容器の中身を照射することができることが好ましい。
【００１２】
好ましい実施形態では、第１及び第２の装置は、構造的に同一である（それらの回路のみが異なることがある）。これは、製造プロセスの合理化につながる。
【００１３】
第１及び第２の装置は、国際公開第２０１１／００７１１３号パンフレットに開示される種類のものであることが好ましい。従って、各発光装置は、液体不浸透性の材料のパッドを含むことがあり、装置の電気素子はこのパッドの主表面の中央領域に取り付けられ、この中央領域は主表面の接着領域によって囲まれ、それによって、パッドは容器に液密に接着されて容器の中身を照射することができる。
【００１４】
より具体的には、各発光装置は、発光装置の電気素子が取り付けられるパッドを含むことがあり、パッドは液体不浸透性材料のパッドであり、電気素子はパッドの主表面の中央領域に取り付けられる剛直な回路基板に設けられ、中央領域は主表面の接着領域によって囲まれ、それによって、パッドは容器に液密に接着されて容器の中身を照射することができ、またパッドは、可撓性を有し、ひび割れたり又はしわになることなく、剛直な回路基板の縁で折り畳むことができる材料組成を有する。
【００１５】
パッドは、比較的に目立たない態様で容器に取り付けられることがある。例えば、パッドは、揺れに対する容器の安定性を損なうことなく、容器の底に取り付けられる。パッドの液密性により、装置の動作に悪影響が及ぶ危険性無しに、容器を液体にさらすことが可能になる。
【００１６】
好ましいパッドは、ＰＶＣ又は可塑化された紙から作製される。
【００１７】
パッドは、ステッカーの形態であることが好ましい。
【００１８】
パッド又はステッカーは、小型、平坦、可撓性、軽量かつ可搬物品であるという利点を有する。
【００１９】
パッドは、好ましくは０．１２〜０．３０ｍｍ、より好ましくは０．１５ｍｍ〜０．２０ｍｍの範囲内の厚さを有する。パッドは、好ましくは２５〜７０ｍｍ、より好ましくは２７〜６０ｍｍの直径を有する円形である。パッドは、正方形又は他の非円形の形状を有することがあり、その場合には、パッドの最大寸法は３０〜７０ｍｍ、より好ましくは５０〜６２．５ｍｍである。
【００２０】
パッドは、電気素子が取り付けられる第１の層と、接着領域を覆い、かつ接着領域に着脱可能に取り付けられる、環状の第２の層と、を含むことがある。分離の線が、環の内周から環の外周にかけて、第２の層を横切って延びていることがある。
【００２１】
第１の層は、生分解性プラスチック及び／又は紙材料を含むことがある。好ましい構成では、第１の層の材料は、第２の層の材料よりも丈夫である。
【００２２】
パッドには、パッドの厚さを増加させるエチレン酢酸ビニール（ＥＶＡ）の環を組み込むことがある。従って、ＥＶＡパッドは、１〜５ｍｍ、より好ましくは２〜３ｍｍの範囲の厚さを有する。典型的な直径は、５０〜７５ｍｍ、より好ましくは６１〜７０ｍｍである。ＥＶＡパッドが取り付けられる容器の底面に凹部が無いか、又は浅い凹部のみがある場合には、ＥＶＡパッドは、容器が上に乗るクッションとして作用し、回路のためのより広い空間をもたらすので、有利である。
【００２３】
電気素子は、剛直なプリント回路基板に設けられることがある。
【００２４】
前記少なくとも１つの第１の装置のスイッチは、傾斜スイッチなどの動作感知スイッチであることが好ましい。これにより、例えば、第１の装置が取り付けられている飲料ボトルを持ち上げたとき及び／又は飲料ボトルから注いだときに、送信回路が自動的に作動し、その結果、ユーザによる別個の動作は不要になる。スイッチは、振動センサによって構成されてもよい。
【００２５】
前記少なくとも１つの第１の装置は、送信信号の生成と同時にこの第１の装置のライトを点灯するための手段を含むことがある。これにより、場内のいたるところに分布する複数のライトを同時に点灯することができる、効果的な表示が可能になる。
【００２６】
前記少なくとも１つの第１の装置は、例えばタクトスイッチ（登録商標）などの、オンオフ押圧スイッチを更に含むことがある。これは、省電力機能として提供されることがあるが、送信回路を作動させる代替方法としても提供されることがある。
【００２７】
好ましい実施形態では、その第２の装置又は各第２の装置は、少なくともそれ自体のライトを作動させるためのそれ自体のスイッチを備える。
【００２８】
この１組の発光装置は、少数の第１の装置、例えば、１個又は２個、及び多数の第２の装置、例えば、２０個又はそれ以上を含むことが好ましい。２個以上の第１の装置が存在する場合、それらは異なる符号化信号を生成することがあり、また第２の装置は、群で構成されることがあり、その受信回路及びライトは、異なる符号化信号に別々に応答する。
【００２９】
本発明の別の態様によると、上述の種類の１組の発光装置と、前記少なくとも１つの第２の装置のライトを点灯するために信号を生成させるための少なくとも１つのスイッチを有する、デスクトップ型又は可搬型送信部と、を備える照明システムが提供される。この送信部によって生成される信号は、前記少なくとも１つの第１の装置によって生成される信号とは別々に符号化されることが好ましく、それにより前記少なくとも１つの第２の装置による異なる照明効果をもたらす。これとは別の構成では、送信部は、前記少なくとも１つの第１の装置と同じ符号を送信する。
【００３０】
送信部は音楽源に接続されることがあり、かつ更なるスイッチを有することがあり、このスイッチが作動すると、前記少なくとも１つの第２の装置のライトが音楽に合わせて光る。
【００３１】
本発明の別の態様によると、上述の種類の１組の発光装置とボトル支持部を備える照明システムが提供され、ボトル支持部は少なくとも１つのボトル載置領域とこのボトル載置領域上に置かれたボトルを照射することができる少なくとも１つのライトを有し、この支持部は送信信号を受信して、これに応答してライトを点灯することができる受信回路を有する。ボトル支持部は国際公開第２０１２／１６０９３０号パンフレットに記載されているものが好ましい。
【００３２】
ボトル支持部はそれ自体の送信回路を含むことがあり、この回路はボトルがボトル載置領域に置かれるのに応答して信号を生成させ、この信号は前記少なくとも１つの第２の装置に送信されて装置のライトを点灯する。
【００３３】
ボトル支持部によって生成される信号は、前記少なくとも１つの第１の装置によって生成される信号とは別々に符号化されることがあり、それにより前記少なくとも１つの第２の装置による異なる照明効果をもたらす。
【００３４】
前記少なくとも１つの第２の装置の回路は、後に続く受信信号に応答する前に、第１の受信信号に完全に応答するように構成されることがある。
【００３５】
本発明の別の態様によれば、１組の発光装置を第１及び第２の容器に取り付けることを含む、容器を照射する方法が提供され、各装置は、ライト、関連回路、および容器に取り付けることが可能な表面を有する筐体を備え、この１組の発光装置のうちの少なくとも１つの第１の発光装置は、送信回路および送信回路を作動させてそれぞれの送信信号を生成するための手段を備え、この１組の発光装置のうちの少なくとも１つの第２の発光装置は、送信信号を受信することができる受信回路と、送信信号に応答して前述の第２の装置のライトを点灯するための手段と、を備え、この方法は、第１の装置のスイッチを使用して送信回路を作動させ、第２の装置のライトを点灯することを含む。
【図面の簡単な説明】
【００３６】
本発明の好ましい実施形態を、添付の図面を参照して、例としてのみ説明する。
【００３７】
図１：本発明の第１の実施形態による照明システムを示す。
【００３８】
図２：本発明の第２の実施形態による照明システムを示す。
【００３９】
図３：本発明の第３の実施形態による照明システムを示す。
【発明を実施するための形態】
【００４０】
ここで図面を参照すると、図１は、送信機照明装置１２及び受信機照明装置１４を含むシステム１０を示す。
【００４１】
装置１２は、上述の特許出願、特に国際公開第２０１１／００７１１３号パンフレットに開示された種類のものである。従って、装置１２は、容器、例えばボトルの外部に取り付けて容器の中身を照射するための、自己完結型の照明装置を含む。この装置は、照明装置の電気素子が取り付けられるパッドを含み、パッドは液体不浸透性材料のパッドであり、電気素子はパッドの主表面の中央領域に取り付けられる剛直な回路基板に設けられ、中央領域は主表面の接着領域によって囲まれ、それによって、パッドは容器に液密に接着することができ、またパッドは可撓性を有し、ひび割れたり又はしわになることなく、剛直な回路基板の縁で折り畳むことができる材料組成を有する。
【００４２】
更に、装置１２は、装置１２の中央に配置され、かつ他の電気素子を保持する側の反対側から作動可能な、タクトスイッチ又は他の押しボタンスイッチの形態の、オン／オフスイッチ２８を備える。
【００４３】
更に、装置１２は、傾斜スイッチ２０の形態の動作感知スイッチを備え、この傾斜スイッチ２０は、装置が傾斜すると送信回路２２を作動させて無線周波数送信アンテナ２４に符号化信号を供給する。
【００４４】
信号を送信するのと同時に、回路２２は装置１２のＬＥＤ２６を点灯する。
【００４５】
各装置１４も、上述の特許出願に開示された種類のものである。各装置１４は、受信アンテナ３４を更に備え、受信アンテナ３４はアンテナ２４から受信した無線周波数信号を受信回路３２に供給し、受信回路３２では、信号が復号されて、装置１４のＬＥＤ３６を点灯するのに使用される。各装置１４は傾斜スイッチ３０も含み、傾斜スイッチ３０が傾くと、同じ装置１４のＬＥＤ３６が点灯する。しかしながら、傾斜スイッチ３０は、複数の前記装置１４の一部又は全部から省略されることがある。
【００４６】
好ましい使用方法では、装置１２は娯楽施設のバーの背後で現在使用中のディスペンサーボトルの底部に取り付けられる。装置１４は、施設で同じタイプの飲料を入れている他のボトルの底部に取り付けられている。バーテンダーが、装置１２を有するボトルを取り上げて顧客に給仕し、飲料を注ぐと、スイッチ２０の傾斜により、ＬＥＤ２６及び範囲内の全ての装置１４のＬＥＤ３６が、スイッチ２０が傾いている間及びそれに続く例えば５秒間、明るくなる、例えばピカッと光る。使用されるアンテナの典型的な到達範囲は、５〜１０メートルである。
【００４７】
上述した構成の利点は、ＬＥＤ２６の照射の広告効果が、他のＬＥＤ３６の同時照射によって、施設全体に渡って増幅されるということである。同じ長さの時間の間同じ効果を見せることによって、印象的な結果が観察される。
【００４８】
上述した実施形態には、様々な変更を加えることができる。例えば、装置１２のＬＥＤ２６の照射は、スイッチ２８によって直接的に引き起こされてもよい。或いは、ＬＥＤ２６は省略されてもよい。装置１２及び１４について、ＬＥＤ以外のライトが使用されてもよく、各装置は、２つ以上の任意の所望の数のライトを有してもよい。
【００４９】
装置１４を、ボトルに取り付ける代わりに、顧客が所持している飲料グラスの底部に取り付けることができる。単一の装置１４のみをこのシステムに提供してもよい。しかしながら、３個以上の装置１４、特に２０個以上などの多数の装置１４を提供することが好ましい。
【００５０】
別の修正例では、装置１２を、ボトルの代わりに飲料グラスの底部に取り付けることがある。
【００５１】
他の修正例では、３個以上の装置１２が設けられることがある。一例では、それらは同一のものであり、同じ種類の飲料ボトルに取り付けられるようになっている。しかしながら、他の例では、それらの装置のそれぞれの回路は、傾けられたときに別の符号化信号を送信するように構成される。単純な例として、ジンのボトルは低速で点滅する光を発すし、ウォッカのボトルはより速い速度で点滅する光を発するようになっていてもよい。
【００５２】
更なる修正例では、受信装置１４は、対応する第１及び第２の組に構成されることがあり、その結果、ジンのボトルを傾けると第１の組で強い照明効果がもたらされ、ウォッカのボトルを傾けると弱い照明効果がもたらされるか照明効果が全くもたらされず、その逆も同様に起こる。
【００５３】
それぞれの装置が動いているとき、例えば傾いているときに、第３の種類の照明効果、例えば、連続的な光信号がＬＥＤ３６によって発せられることがある。
【００５４】
マスター／スレーブの関係の代わりに、装置１２及び１４は、互いに信号を送受信できるように、実質的に同一であってもよい。この場合には、送信回路２２は送受信回路の一部であり、受信機３２は送受信回路の一部である。
【００５５】
使用中の装置１２を作動させるために、スイッチ２８を押すと、これにより直ちに回路２２が作動してＬＥＤ２６が駆動する。この動作から、バーテンダーは装置が順調に稼働していることを知る。同時に、範囲内にある任意の受信装置１４のＬＥＤ３６も点灯する。次いで、回路２２は低電力待機モードに入る。これ以降に傾斜スイッチ２０が作動すると、回路２２の低電力待機状態が解除される。
【００５６】
装置１２を停止するには、スイッチ２８を再び押す。ＬＥＤ２６及び任意ではあるが隣接装置１４のＬＥＤ３６が緩やかに消光し、装置のスイッチが切られたことが示される。
【００５７】
装置１２では、傾斜スイッチ２０又はタクトスイッチ２８を省略してもよい。省略されたのが傾斜スイッチである場合、このシステムは、バーテンダーが飲料を注ぐ際にスイッチ２８を作動させることに頼ることになるが、これは、別個の積極的な行動を必要とするので、あまり便利ではない。
【００５８】
各装置１４も対応するタクトスイッチを備えて、傾いていないときでも装置をオンにする、かつ／又は独立した照明を可能にすることができる。或いは、装置１４はスイッチを全く有していなくてもよく、この場合には、装置１４は遠隔操作のみが可能である。
【００５９】
図２は、本発明の第２の実施形態によるシステム５０を示す。照明装置１２及び１４に加えて、このシステムは、異なる符号の無線周波数信号を送信することができる、デスクトップ型又は可搬型の送信装置６０を含む。典型的には、この装置は、娯楽施設でディスクジョッキーが所持している。この装置は、典型的に３５メートルの送信範囲を有する。
【００６０】
押しボタン１２４、１３４、１４４のうちの１つを作動させることにより、ディスクジョッキーは、押しボタン１２４、１３４、及び１４４のいずれが作動されたかに応じて、対応する符号化信号を受信装置１４に送信する。これらのスイッチのうちの２つについては、生成される効果は、装置１２のスイッチ２０の作動により生成される効果とは異なる。これらのスイッチの第３のものについては、生成される効果は、スイッチ２０の作動により生成される効果と異なっていても、又は同じであってもよい。
【００６１】
照明効果は、異なる点滅速度及び異なる色を含むことができるが、事前にプログラムされたパターンの比較的洗練された組み合わせを含むこともできる。
【００６２】
装置６０の入力部は、ディスクジョッキーのミキシングデスクなどの音楽源に電気的に接続される。ディスクジョッキーが装置６０の押しボタン１１４を作動させると、照明装置１４を音楽の各低音ビートにあわせて点滅させることができる。
【００６３】
従って、システム５０の受信装置１４は、送信機６０又は装置１２のいずれかからの信号に応答することができる。受信装置は、何等かの他の送信に応答する前に、１つの照明事象を完了するように構成される。これにより、何等かの照明事象が中断されるのを防止する。
【００６４】
図３は、本発明の第３の実施形態によるシステム８０を示す。送信装置６０に加えて、システム８０は、少なくとも１つのボトル支持部９０を備える。支持部９０の詳細は、国際公開第２０１２／１６０３９０号パンフレットに開示されている。支持部９０は、主表面にＬＥＤ９２の形態でそれぞれの照明素子を有する３つのモジュールすなわちタイル９８、照明素子に電力を供給するための電気回路、およびこの回路を類似の支持部に接続するための外部からアクセス可能な電気的接続手段を含む概ね平面の支持部であり、この電気回路は、照明素子の上又は照明素子に隣接した物品の存在を検知するための少なくとも１つの第１のセンサおよび支持部に隣接又は近接した人の存在又は動きを検知するための第２のセンサを含む。支持部９０は典型的に棚又は他の水平な支持面に配置され、複数のボトル載置領域９４を有し、使用時にボトルがその上に置かれる。
【００６５】
支持部のＬＥＤは、載置領域９４内で、ボトルを上向きに照らす。支持部９０は、複数のＬＥＤ９２が同じ照明効果を示すことができるように、照明装置１２及び送信装置６０から符号化された信号を受信するための無線周波数受信機９６を組み込んでいる。支持部９０の内部回路が、どのＬＥＤを発光させるかを、例えば、領域９４のいずれが現在ボトルによって占有されているかに応じて、決定する。この機能は、国際公開第２０１２／１６０３９０号パンフレットにも開示されている。
【００６６】
修正例では、各モジュール９８は、図３に破線で示すように、それぞれの受信機９６を組み込んでいる。
【００６７】
修正例では、支持部９０は１つ以上の送信機を含み、その結果、支持部の受動型赤外線センサが人の存在又は接近を検知することによって作動したとき、又は、支持部の振動センサが作動すると、符号化された送信信号が送信されて、照明装置１４も点灯する。
【００６８】
これらの実施形態の特徴及び変更は、所望に応じて、組み合わせたり又は交換したりすることができる。例えば、送信装置６０を図３の実施形態から省略することができ、その結果、システムは照明装置１２及び１４、並びにモジュール式照明パネル部９０のみを含む。
【図１】
2018506834.tif 000003
【図２】
2018506834.tif 000004
【図３】
2018506834.tif 000005
【国際調査報告】
2018506834.tif 000006
2018506834.tif 000007
2018506834.tif 000008